(57)【要約】【課題】載置面に載置して使用する場合に、転倒したり、ぐらついたりすることのない折り畳み式携帯電話機を提供する。【解決手段】載置面５に載置可能な本体１と、非使用時には、本体１に重なるように折り畳まれ、使用時には、本体１から少なくとも９０°以上開かれる開閉部分３と、本体１と開閉部分３とを回動自在に連結するヒンジ部２と、開閉部分３を開いた時に、転倒を防止するために、本体１に対して引き出し収納自在に設けられるスタンド４と、を備え、スタンド４は、引き出された状態では、開かれた開閉部分３の下方に配置される。【選択図】  図３
2005012458.tif 000002
【特許請求の範囲】
【請求項１】
載置面に載置可能な本体と、
非使用時には、前記本体に重なるように折り畳まれ、使用時には、前記本体から少なくとも９０°以上開かれる開閉部分と、
前記本体と開閉部分とを回動自在に連結するヒンジ部と、
前記開閉部分を開いた時に、転倒を防止するために、前記本体に対して引き出し収納自在に設けられるスタンドと、を備え、
前記スタンドは、引き出された状態では、開かれた前記開閉部分の下方に配置されることを特徴とする請求項１に記載の折り畳み式携帯電話機。
【請求項２】
前記スタンドは、前記本体における前記ヒンジ部の近傍位置に設けられることを特徴とする請求項１に記載の折り畳み式携帯電話機。
【請求項３】
前記スタンドは、一対設けられることを特徴とする請求項１または２に記載の折り畳み式携帯電話機。
【請求項４】
前記スタンドの先端部を前記本体側に押し込むことにより、前記スタンドの引出動作または収納動作を可能とするスタンド保持機構を前記本体内に設けたことを特徴とする請求項１に記載の折り畳み式携帯電話機。
【発明の詳細な説明】
【０００１】
【発明の属する技術分野】
本発明は、折り畳み式携帯電話機の転倒防止技術に関する。
【０００２】
【従来の技術】
近年、携帯電話機の機能は、音声通話やメール通信のみならず、ＴＶ電話にまで及ぶ広い範囲に拡張されている。その使用形態としては、手で持った状態で使用するものも多数あるが、ハンズフリーで使用する場合は勿論のこと、マイクを使用した状態での音声通話やＴＶ電話等においては、卓上に載置した状態で使用する方が好ましい場合も増えてきている。
【０００３】
また、携帯電話機の形状もストレートの一体型のものから、折り畳み式のものも多数提案されている。これらの携帯電話機を、卓上に載置して使用する際には、安定な状態で載置できるように、各種の提案がなされている（例えば、特許文献１，２，３，４，５，６参照）。
【０００４】
【特許文献１】
登録実用新案第３０８３１２７号公報（段落「０００７」〜「００１０」、図１〜図３）
【０００５】
【特許文献２】
特開２０００−１３４２９７号公報（段落「００１１」「００１２」「００１４」、図３，図５）
【０００６】
【特許文献３】
特開２０００−３２３８５０号公報（段落「００１０」「００１１」、図３）
【０００７】
【特許文献４】
特開２００１−２９２２１７号公報（段落「００１２」、図１〜図３）
【０００８】
【特許文献５】
特開平８−２６５４０３号公報（段落「００１５」、図２）
【０００９】
【特許文献６】
特開平９−８３６２２号公報（段落「００１３」、図２，図３）
【００１０】
【発明が解決しようとする課題】
最近では、コンパクト化の要請から、一体型よりも、折り畳み式のものが主流になりつつあり、多くの機能を備えた折り畳み式携帯電話機では、ディスプレイ等を設けた開閉部分の重量が大になっている。
【００１１】
このような折り畳み式携帯電話機を卓上等に載置して使用する際には、開かれた開閉部分の重量によって、転倒モーメントが作用するため、載置状態が不安定となり、ぐらついたり、転倒したりすることが懸念される。しかるに、上述の従来の技術では、折り畳み式携帯電話機を開いた状態で卓上に載置する場合の安定性の確保については、何ら考慮されておらず、その対策が求められていた。
【００１２】
本発明は、このような実情に鑑みてなされ、載置面に載置して使用する場合に、転倒したり、ぐらついたりすることのない折り畳み式携帯電話機を提供することを目的とする。
【００１３】
【課題を解決するための手段】
本発明は、上述の課題を解決するための手段を、以下のように構成している。
【００１４】
（１）載置面に載置可能な本体と、非使用時には、前記本体に重なるように折り畳まれ、使用時には、前記本体から少なくとも９０°以上開かれる開閉部分と、前記本体と開閉部分とを回動自在に連結するヒンジ部と、前記開閉部分を開いた時に、転倒を防止するために、前記本体に対して引き出し収納自在に設けられるスタンドと、を備え、
前記スタンドは、引き出された状態では、開かれた前記開閉部分の下方に配置されることを特徴とする。
【００１５】
この構成においては、本体からスタンドを引き出すと、開閉部分の下方に配置されるので、本体を載置面に載置した使用時に、開閉部分の重量による転倒モーメントがスタンドによって受け止められるため、折り畳み式携帯電話機の載置状態が安定する。また、不用意に、開閉部分に転倒方向へ向かう外力が作用しても、その外力による転倒モーメントがスタンドによって受け止められるため、ぐらつきや転倒を免れる。
【００１６】
（２）前記スタンドは、前記本体における前記ヒンジ部の近傍位置に設けられることを特徴とする。
【００１７】
この構成においては、スタンドをヒンジ部の近傍位置に設けているため、開閉部分の重量がかかるヒンジ部をスタンドで安定に支持しやすくなる。
【００１８】
（３）前記スタンドは、一対設けられることを特徴とする。
【００１９】
この構成においては、スタンドを一対設けていることで、転倒やぐらつきをより効果的に防止することができる。
【００２０】
（４）前記スタンドの先端部を前記本体側に押し込むことにより、前記スタンドの引出動作または収納動作を可能とするスタンド保持機構を前記本体内に設けたことを特徴とする。
【００２１】
この構成においては、スタンドの先端部を押す簡単な操作によって、スタンドの引出動作または収納動作が可能となるため、使い勝手が向上する。
【００２２】
【発明の実施の形態】
以下に、本発明の実施形態に係る折り畳み式携帯電話機について図面を参照しつつ詳細に説明する。
【００２３】
図１は使用状態の折り畳み式携帯電話機の斜視図、図２はスタンドを引き出した折り畳み状態の斜視図、図３は、使用状態の側面図、図４はスタンドを収納した折り畳み状態の斜視図である。これらの図において、本体１の表面には、通信のための各種操作を行うキーやスイッチを備えた操作部１ａやマイク（図示省略）等が設けられ、内部には、回路や電池等（図示省略）が収納されている。
【００２４】
この本体１の一端上部にはヒンジ部２が設けられ、このヒンジ部２を介して開閉部分３が回動自在に連結されており、また、本体１の一端面には、一対のスタンド４，４が、本体１に対して引き出し収納自在に設けられている。
【００２５】
その開閉部分３には、ディスプレイやスピーカ等が設けられ、非使用時には、図２，図４に示すように、本体１に折り畳まれているが、使用時には、図１に示すように、大きく開ける（少なくとも本体に対して９０°以上）ようになっており、その際には、両スタンド４，４を引き出して、転倒やぐらつきを防止できるようになっている。なお、図３では、引き出されたスタンド４，４の先端は、載置面５との間に僅かの隙間を有しているが、載置面５と接していてもよい。
【００２６】
このスタンド４，４は、例えば、図５（ａ），（ｂ）に示すスタンド保持機構６により、その先端部を押すことにより、引出動作または収納動作が可能となるように構成されており、使い勝手が向上する。そのスタンド保持機構６は、ピストン１１を内蔵したシリンダ１２内にハート型カム溝１３を設けて構成される。
【００２７】
より具体的には、シリンダ１２内を摺動自在なピストン１１は、スタンド４が押し込まれた時に、スタンド４の基部に当接し、かつ、スプリング１４によって、スタンド４を押し出す方向（図５（ｂ）に示す）に付勢されている。そのピストン１１裏側には、ロックピン１５がピン軸１６を介して揺動自在に連結され、そのロックピン１５の先端が、ハート型カム溝１３に摺動自在に案内される。
【００２８】
このような構成により、スタンド４が本体１に収納されている状態から、スタンド４を引き出すには、スタンド４の先端を矢印Ａ方向に押し込む。そうすると、ハート型カム溝１３の位置１３ａにあったロックピン１５の先端が、位置１３ｂに移動する。この時、スタンド４の押し込み動作を止めると、スプリング１４の付勢力によってロックピン１５の先端が、位置１３ｂから位置１３ｃに移動し、スタンド４が矢印Ｂ方向に押し出される。
【００２９】
この状態から、スタンド４を、手で持って、図２に示す状態までさらに引き出す。この時、スタンド４の基部は、ピストン１１から離れて、所定の長さ（５ｃｍ程度）まで引き出される。この時、スタンド４に突設されたストッパ４ａ，４ａが、ガイド孔１ａ，１ａ内を移動して、図５（ｂ）に示す位置で停止し、スタンド４が抜け止め状態となる。
【００３０】
スタンド４を収納する時には、スタンド４を本体１内に押し込み、さらに、図５（ａ）の矢印Ａ方向に押し込む。そうすると、ロックピン１５の先端が位置１３ｃから位置１３ｄに移動し、その後、スタンド４の押し込み動作を中止することで、ロックピン１５の先端が、位置１３ｄから位置１３ａに移動して保持され、図５（ａ）に示す収納状態となる。なお、このようなスタンド保持機構６に代えて、スタンド４自体を、図示は省略するが、例えば、テレスコピックタイプの伸縮構造としてもよい。
【００３１】
このような伸縮自在な一対のスタンド４，４を設けたことにより、使用時には、図１，図３に示すように、開閉部分３を全開状態としても、本体１を載置面５に対して安定に保持させることができるため、ハンズフリーでの使用やＴＶ受信等に好適である。また、不用意に、開閉部分３に転倒方向へ向かう外力が作用しても、その外力による転倒モーメントがスタンド４，４によって受け止められるため、転倒を免れ、機器の破損や損傷を免れる。そして、非使用時には、図４に示すように、スタンド４，４を本体１内に収納することができるため、コンパクトになり、携帯に便利である。
【００３２】
【発明の効果】
以上の説明から明らかなように、本発明は、以下のような効果を奏する。
【００３３】
（１）本体からスタンドを引き出すと、開閉部分の下方に配置されるので、本体を載置面に載置した使用時に、開閉部分の重量による転倒モーメントがスタンドによって受け止められるため、折り畳み式携帯電話機の載置状態が安定する。また、不用意に、開閉部分に転倒方向へ向かう外力が作用しても、その外力による転倒モーメントがスタンドによって受け止められるため、ぐらつきや転倒を免れる。
【００３４】
（２）スタンドを本体のヒンジ部の近傍位置に設けているので、開閉部分の重量がかかるヒンジ部をスタンドで安定に支持しやすくなる。
【００３５】
（３）スタンドを一対設けているので、転倒やぐらつきをより効果的に防止することができる。
【００３６】
（４）スタンドの先端部を押す簡単な操作によって、スタンドの引出動作または収納動作が可能となるので、使い勝手が向上する。
【図面の簡単な説明】
【図１】本発明の実施形態に係る折り畳み式携帯電話機の使用状態の斜視図である。
【図２】同折り畳み式携帯電話機のスタンドを引き出した状態の斜視図である。
【図３】同折り畳み式携帯電話機の使用状態の側面図である。
【図４】同スタンドを収納した非使用時の折り畳み式携帯電話機の斜視図である。
【図５】同折り畳み式携帯電話機のスタンドの保持機構の説明図である。
【符号の説明】
１−本体
２−ヒンジ部
３−開閉部分
４−スタンド
６−スタンド保持機構
【図１】
2005012458.tif 000003
【図２】
2005012458.tif 000004
【図３】
2005012458.tif 000005
【図４】
2005012458.tif 000006
【図５】
2005012458.tif 000007